(57)【要約】      （修正有）【課題】備品入れを別途組み立てたり、包装用箱の内部に設置するための手数が不要で、製造コストも安価であり、種々のサイズや形状の備品に対応でき、十分な収納スペースを有する収納部を備えた包装用箱を提供する。【解決手段】底面の第１端部に順次連設される、第１側壁面、天面５１、及び第２側壁面６１と、底面２１の第１端部に対向する第２端部に連設される収納面３１と、を備えており、収納面３１を底面に対して折曲し、収納面３１の前部及び後部を第２側壁面６１に対して固定して、第２側壁面６１の外部に収納部９０を形成した包装用箱１１。【選択図】図４
0003138541.tif 000002
【実用新案登録請求の範囲】
【請求項１】
底面の第１端部に順次連設される、第１側壁面、天面、及び第２側壁面と、
前記底面の第１端部に対向する第２端部に連設される収納面と、を備えており、
前記収納面を前記底面に対して折曲し、前記収納面の前部及び後部を前記第２側壁面に対して固定して、前記第２側壁面の外部に収納部を形成したことを特徴とする包装用箱。
【請求項２】
前記収納面は、前部と後部のいずれか又は両方に取付面を連設しており、前記取付面を前記第２側壁面に固定することを特徴とする請求項１に記載の包装用箱。
【請求項３】
前記取付面は、自由端部側を前記第２側壁面に固定することを特徴とする請求項２に記載の包装用箱。
【請求項４】
前記収納面は、前部と後部のいずれか又は両方であって、前記第２側壁面に対向する部分を直接前記第２側壁面に固定することを特徴とする請求項１から３のいずれか１項に記載の包装用箱。
【請求項５】
前記収納面は、前端及び後端から離隔した位置に前記第２側壁面との固定部を有しており、前記収納部が複数に区画されていることを特徴とする請求項１から４のいずれか１項に記載の包装用箱。
【請求項６】
前記収納面は、前記第２側壁面に対向する下部を前記第２側壁面に固定することを特徴とする請求項１から５のいずれか１項に記載の包装用箱。
【考案の詳細な説明】
【技術分野】
【０００１】
本考案は、包装用箱に関し、より詳細には、ろうそく、ナフキンなどの備品を収納する収納部を備えた包装用箱に関する。
【背景技術】
【０００２】
従来、ケーキ等を持ち帰る際に使用される包装用箱として、底面の第１端部に順次連設される、第１側壁面、天面、及び第２側壁面を備えた包装用箱が知られている（例えば、特許文献１参照。）。ケーキ等を持ち帰る際には、ろうそくやナフキン等の備品が包装用箱の内部に収納されることがあるが、持ち帰り中に備品が移動することによってケーキ等に接触し、ケーキ等が破損したり、備品にケーキのクリーム等が付着するなどの問題があった。
【０００３】
このような問題を解決するため、包装用箱の内部に備品入れを別体で設置したものや（例えば、特許文献２参照。）、包装用箱のフラップの一部に切れ込みを形成して備品を挟持させるもの（例えば、特許文献３参照。）が開発されている。
【特許文献１】実用新案登録３０８８８９８号公報
【特許文献２】実用新案登録３０９４５０３号公報
【特許文献３】実開昭６０−５２２７１号公報
【考案の開示】
【考案が解決しようとする課題】
【０００４】
しかしながら、包装用箱とは別に備品入れを別体で設置する場合には、備品入れを別途組み立てたり、包装用箱の内部に設置するための手数が増加するという問題や、製造コストが上昇するという問題がある。また、包装用箱のフラップの一部に切れ込みを形成して備品を挟持させる場合には、備品のサイズや形状に制限があり、僅かな数量しか挟持できないという問題がある。
【０００５】
本考案は前記課題に鑑みてなされたものであって、備品入れを別途組み立てたり、包装用箱の内部に設置するための手数が不要で、製造コストも安価であり、種々のサイズや形状の備品に対応でき、十分な収納スペースを有する収納部を備えた包装用箱を提供することを目的とする。
【課題を解決するための手段】
【０００６】
本考案の解決しようとする課題は以上の如くであり、次にこの課題を解決するための手段を説明する。
【０００７】
即ち、第１の考案では、底面の第１端部に順次連設される、第１側壁面、天面、及び第２側壁面と、
前記底面の第１端部に対向する第２端部に連設される収納面と、を備えており、
前記収納面を前記底面に対して折曲し、前記収納面の前部及び後部を前記第２側壁面に対して固定して、前記第２側壁面の外部に収納部を形成したことを特徴とする包装用箱とした。
【０００８】
第２の考案では、第１の考案において、前記収納面は、前部と後部のいずれか又は両方に取付面を連設しており、前記取付面を前記第２側壁面に固定することを特徴とする包装用箱とした。
【０００９】
第３の考案では、第２の考案において、前記取付面は、自由端部側を前記第２側壁面に固定することを特徴とする包装用箱とした。
【００１０】
第４の考案では、第１から第３のいずれかの考案において、前記収納面は、前部と後部のいずれか又は両方であって、前記第２側壁面に対向する部分を直接前記第２側壁面に固定することを特徴とする包装用箱とした。
【００１１】
第５の考案では、第１から第４のいずれかの考案において、前記収納面は、前端及び後端から離隔した位置に前記第２側壁面との固定部を有しており、前記収納部が複数に区画されていることを特徴とする包装用箱とした。
【００１２】
第６の考案では、第１から第５のいずれかの考案において、前記収納面は、前記第２側壁面に対向する下部を前記第２側壁面に固定することを特徴とする包装用箱とした。
【考案の効果】
【００１３】
本考案の効果として、以下に示すような効果を奏する。
【００１４】
第１の考案によれば、収納面の前部及び後部を第２側壁面に対して固定することで、第２側壁面の外部に収納部を形成するため、備品入れを別途組み立てたり、包装用箱の内部に備品入れを設置するための手数が不要である。また、備品入れを別途用意する必要がないため、製造コストを安価とすることができる。更に、収納部は第２側壁面の外部に形成されるため、収納部を大きく形成でき、種々のサイズや形状の備品に対応でき、充分な収納スペースを確保することができる。
【００１５】
第２の考案によれば、収納面は、前部と後部のいずれか又は両方に取付面を連設しており、取付面を第２側壁面に固定することで、第２側壁面の外部に収納部を形成するため、取付面を第２側壁面に固定する貼り作業を貼り機によって自動化することができ、製造コストを安価とすることができる。また、収納面の前端から後端までを収納部とすることができるため、充分な収納スペースを確保することができる。
【００１６】
第３の考案によれば、取付面は、自由端部側を第２側壁面に固定しているため、収納部に備品等を収納する際に、第２側壁面と収納面との間が広がり易く、厚みのある備品等を容易に収納することができる。
【００１７】
第４の考案によれば、前部と後部のいずれか又は両方であって、第２側壁面に対向する部分を直接第２側壁面に固定することで、第２側壁面の外部に収納部を形成するため、取付面を第２側壁面に固定する貼り作業を貼り機によって自動化することができ、製造コストを安価とすることができる。また、収納面を直接第２側壁面に固定するため、包装用箱の構造をシンプルにすることができる。
【００１８】
第５の考案によれば、収納面は、前端及び後端から離隔した位置に第２側壁面との固定部を有しており、収納部が複数に区画されているため、複数の備品を分けて収納できるとともに、備品等の不用意な移動を防止して確実に収納することができる。
【００１９】
第６の考案によれば、収納面は、第２側壁面に対向する下部を第２側壁面に固定しているため、第２側壁面と収納面とを確実に固定することができ、耐久性の高い包装用箱とすることができる。
【考案を実施するための最良の形態】
【００２０】
次に、考案の実施の形態について図を用いて説明する。
【実施例１】
【００２１】
本考案の実施例１に係る包装用箱１１について、図１から図５を用いて説明する。
【００２２】
実施例１に係る包装用箱１１は、図１に示す箱展開形成体１２を組み立てて形成されるものであり、ケーキ等を収納するための包装用箱１１である。包装用箱１１は、板紙、段ボールなどの厚紙で形成されている。樹脂素材を用いた板状部材で形成してもよい。本実施例に係る包装用箱１１は、図１に示すように、底面２１の第１端部に順次連設される、第１側壁面４１、天面５１、及び第２側壁面６１によって筒状に形成され、開口部が前蓋部２２及び後蓋部２３によって閉塞される、いわゆるサック形式の包装用箱である。包装用箱１１は折り畳まれた半完成状態でケーキ店等に納品され（図２参照）、ケーキ等を収納する前に最終の組み立てが行われて完成状態の包装用箱１１とされる。以下では、説明の容易のため、開口部が形成されている側を前後方向とする。そして、図１から図５の図示左側を前側とし、図示右側を後側とする。また、上下方向は、包装用箱１１を組み立てて、底面２１を下にして載置した状態で、底面２１側を下方とする。尚、本実施例の包装用箱１１の平面形状は正方形であるが、長方形等の他の形状に変更してもよい。
【００２３】
図１に示す箱展開形成体１２に従って包装用箱１１を構成する部分を説明する。図１は、包装用箱１１の内側となる面を紙面手前側として示している。まず底面２１は、包装用箱１１の底部を構成する部分である。底面２１の第１端部には包装用箱１１の側壁を構成する第１側壁面４１が第１側壁面折目線７１を介して連設されている。底面２１の前側の端部には、前側の蓋部を構成する前蓋部２２が前蓋部折目線７２を介して連設されている。前蓋部２２の端部には前差込片２４が形成されている。底面２１の後側の端部には、後側の蓋部を構成する後蓋部２３が後蓋部折目線７３を介して連設されている。後蓋部２３の端部には後差込片２５が形成されている。
【００２４】
底面２１の第１端部に対向する第２端部には、収納部９０を構成する収納面３１が収納面折目線７４を介して連設されている。収納面３１の前側の端部には、前取付面折目線７５を介して前取付面３２が連設されており、収納面３１の後側の端部には、後取付面折目線７６を介して後取付面３３が連設されている。前取付面３２と後取付面３３は、第２側壁面６１に固定されて、収納面３１の前部及び後部を第２側壁面６１に対して固定する部材である。
【００２５】
次に、第１側壁面４１の端部のうち、底面２１と対向する端部には、包装用箱１１の天部を構成する天面５１が天面折目線７７を介して連設されている。第１側壁面４１の前側の端部には、第１前フラップ４２が第１前フラップ折目線７８を介して連設されている。第１側壁面４１の後側の端部には、第１後フラップ４３が第１後フラップ折目線７９を介して連設されている。
【００２６】
天面５１の端部のうち、第１側壁面４１と対向する端部には、包装用箱１１の側壁を構成する第２側壁面６１が、第２側壁面折目線８０を介して連設されている。天面５１の前側の端部には、天面前フラップ５２が天面前フラップ折目線８１を介して連設されている。天面前フラップ折目線８１上には、前蓋部２２の端部に形成された前差込片２４が差し込まれる前切込部８３が形成されている。天面５１の後側の端部には、天面後フラップ５３が天面後フラップ折目線８２を介して連設されている。天面後フラップ折目線８２上には、後蓋部２３の端部に形成された後差込片２５が差し込まれる後切込部８４が形成されている。
【００２７】
天面５１の中央部には、円弧状の切れ込みが平行に形成された把持部５４が１対形成されている。把持部５４は天板に対して上方に起こすことによって取っ手を形成するものである（図４参照。）。また、天面５１の内側の略全部と、天面前フラップ５２、及び、天面後フラップ５３を被覆するようにシート状材５５が取り付けられている。シート状材５５はアイスパック（水や、ジェル状の保冷剤をプラスチック製の柔軟性シートで密封包装したパック状のものを凍らせたもの）やドライアイス等の保冷体を収容する保冷体収容部５６を構成するものである。シート状材５５は不織布やプラスチックフィルム等の素材で形成されている。シート状材５５の第１側壁面４１と第２側壁面６１に近い部分は、それぞれ一定幅の固定部５７で固定されており、シート状材５５の前部と後部は開放状態とされていて、シート状材５５と天面５１との間にアイスパック等の保冷体を収容する収容空間が形成されている。
【００２８】
そして、第２側壁面６１の前側の端部には、第２前フラップ６２が第２前フラップ折目線８５を介して連設されており、第２側壁面６１の後側の端部には、第２後フラップ６３が第２後フラップ折目線８６を介して連設されている。
【００２９】
次に、包装用箱１１を半完成状態まで組み立てる場合について説明する。図１、図２に示すように、まず、収納面３１に連設された前取付面３２を前取付面折目線７５で谷折して折り返し、収納面３１に連設された後取付面３３を後取付面折目線７６で谷折して折り返す。次に、第２側壁面折目線８０を谷折して、第２側壁面６１を天面５１に対して折り返す。そして、折り返された第２側壁面６１に対して第１側壁面折目線７１を谷折して、前取付面３２と後取付面３３とを第２側壁面６１に固定する。固定は、接着剤を用いた貼着手段や、熱溶着等の固定手段を用い、前取付面３２の略全面と、後取付面３３の略全面を第２側壁面６１に固定して、固定部３４を形成する。これにより、図２に示すように、包装用箱１１は略半分に折り畳まれた半完成状態となる。半完成状態までの組み立てでは、折目は全て谷折であり、固定する部分は、前取付面３２と第２側壁面６１との間、及び、後取付面３３と第２側壁面６１との間のみであるから、貼り作業を貼り機によって容易に自動化することができ、製造コストを安価とすることができる。また、半完成状態では、包装用箱１１は厚さが薄く、コンパクトであるため、運搬や保管が容易となる。
【００３０】
次に、折り畳まれた半完成状態の包装用箱１１を完成体まで組み立てる場合について説明する。図３に示すように、まだ谷折されていなかった天面折目線７７と収納面折目線７４とを谷折して、底面２１に対して、第１側壁面４１と第２側壁面６１とを起立させ、第１側壁面４１、天面５１、及び第２側壁面６１によって筒状とする。筒状に形成された状態で、内部にケーキ等を収納する。また、保冷体収容部５６にアイスパック等の保冷体を収容する場合は、シート状材５５の前部又は後部の開放状態となった部分から保冷体を挿入する。
【００３１】
前部の組み立ては、第１前フラップ折目線７８を谷折して第１前フラップ４２を内側に曲げ、第２前フラップ折目線８５を谷折して第２前フラップ６２を内側に曲げ、天面前フラップ折目線８１を谷折して天面前フラップ５２を下方に曲げる。天面前フラップ５２が下方に曲げられることによって、保冷体収容部５６の前側の開放部が閉鎖されることとなる。そして、前蓋部折目線７２を谷折し、前差込片２４を前切込部８３に挿入することで、包装用箱１１の前部が閉塞される。
【００３２】
後部の組み立ては、前部と同様に、第１後フラップ折目線７９を谷折して第１後フラップ４３を内側に曲げ、第２後フラップ折目線８６を谷折して第２後フラップ６３を内側に曲げ、天面後フラップ折目線８２を谷折して天面後フラップ５３を下方に曲げる。天面後フラップ５３が下方に曲げられることによって、保冷体収容部５６の後側の開放部が閉鎖されることとなる。そして、後蓋部折目線７３を谷折し、後差込片２５を後切込部８４に挿入することで、包装用箱１１の後部が閉塞される。
【００３３】
次に、第２側壁面６１に形成された収納部９０について説明する。図４に示すように、収納部９０は、第２側壁面６１と収納面３１とで構成されている。収納面３１は、前部、後部が固定されており、下部は底面２１に連設されていることから、上部は開放されており、その他の３方は固定されている状態である。図５に示すように、開放部分からろうそくやナフキン等の備品９１を差し込むことにより、備品９１は、第２側壁面６１と収納面３１とで挟持された状態で収納される。
【００３４】
以上説明した実施例１に係る包装用箱１１によれば、収納面３１の前部及び後部を第２側壁面６１に対して固定することで、第２側壁面６１の外部に収納部９０を形成するため、備品入れを別途組み立てたり、包装用箱１１の内部に備品入れを設置するための手数が不要である。また、備品入れを別途用意する必要がないため、製造コストを安価とすることができる。更に、収納部９０は第２側壁面６１の外部に形成されるため、収納部９０を大きく形成でき、種々のサイズや形状の備品９１に対応でき、充分な収納スペースを確保することができる。
【００３５】
また、収納面３１は、前取付面３２と後取付面３３を第２側壁面６１に固定することで、第２側壁面６１の外部に収納部９０を形成しており、収納面３１の前端から後端までを収納部９０とすることができるため、充分な収納スペースを確保することができる。
【００３６】
尚、本実施例では、収納面３１は方形の部材とし、前後幅は底面２１の前後幅と略同じであり、上下方向の高さは、第２側壁面６１の半分以下としているが、収納面３１の形状は方形に限定されず、上下方向の高さは、特に限定されず、備品９１等の収容物に合わせて適宜変更するようにしてもよい。
【実施例２】
【００３７】
次に、本考案の実施例２に係る包装用箱１１について図６、図７を用いて説明する。実施例２では、前取付面３２と後取付面３３の自由端部側のみが第２側壁面６１に固定されている点が実施例１と大きく異なっている。実施例１と同一部分の詳しい説明は省略する。
【００３８】
上記説明した実施例１では、図２を用いて説明したように、前取付面３２の略全面と、後取付面３３の略全面とを第２側壁面６１に固定して固定部３４を形成したが、実施例２では、図６に示すように、前取付面３２の自由端部側のみと、後取付面３３の自由端部側のみを第２側壁面６１に固定して、固定部３５を形成する。このため、図７に示すように、収納部９０に備品９１等を収納する際に、第２側壁面６１と収納面３１との間が大きく広げ易く、厚みのある備品９１等を容易に収納することができる。
【実施例３】
【００３９】
次に、本考案の実施例３に係る包装用箱１１について図８、図９を用いて説明する。実施例３では、収納面３１に前取付面３２と後取付面３３とを備えていない点が実施例１と大きく異なっている。実施例１と同一部分の詳しい説明は省略する。
【００４０】
図８、図９に示すように、収納面３１は、第２側壁面６１に対向する部分のうち、前部と後部が直接前記第２側壁面６１に固定されて固定部３６が形成されており、これによって収納面３１を第２側壁面６１に固定するようにしている。このため、取付面を第２側壁面６１に固定する貼り作業を貼り機によって自動化することができ、製造コストを安価とすることができる。また、収納面３１を直接第２側壁面６１に固定するため、前取付面３２と後取付面３３を設ける必要がなく、包装用箱１１の構造をシンプルにすることができる。尚、収納面３１の前部又は後部のうち、いずれかには取付面を形成することとし、取付面を形成していない側のみを直接第２側壁面６１に固定するようにしてもよい。
【実施例４】
【００４１】
次に、本考案の実施例４に係る包装用箱１１について図１０を用いて説明する。実施例４では、収納面３１は、前端及び後端から離隔した位置に第２側壁面６１との固定部３７を有している点が実施例１と大きく異なっている。実施例１と同一部分の詳しい説明は省略する。
【００４２】
図１０に示すように、収納面３１は、前端及び後端から離隔した位置に、第２側壁面６１と固定された固定部３７を有している。このため、収納部９０の内部は固定部３７によって前部と後部の２箇所に区画されている。本実施例では、固定部３７は、収納面３１の前後方向の略中央位置に設けている。このように、収納部９０が前後に２箇所に区画されているため、複数の備品９１を前後に分けて収納できるとともに、備品９１等の不用意な移動を防止して確実に収納することができる。
【実施例５】
【００４３】
次に、本考案の実施例５に係る包装用箱１１について図１１を用いて説明する。実施例５では、収納面３１は、第２側壁面６１に対向する下部を第２側壁面６１に固定している点が実施例１と大きく異なっている。実施例１と同一部分の詳しい説明は省略する。
【００４４】
図１１に示すように、収納面３１は、第２側壁面６１に対向する下部を第２側壁面６１に固定する、固定部３８を形成している。収納面３１の前部及び後部に加えて、収納面３１の下部においても第２側壁面６１と固定する固定部３８を形成することにより、第２側壁面６１と収納面３１とを確実に固定することができ、耐久性の高い包装用箱１１とすることができる。
【００４５】
以上説明した本考案の技術的範囲は、上記の実施例に限定されるものではなく、上記実施例の形状に限定されない。本考案の技術的範囲は、本明細書及び図面に記載した事項から明らかになる本考案が真に意図する技術的思想の範囲全体に、広く及ぶものである。
【図面の簡単な説明】
【００４６】
【図１】実施例１に係る包装用箱１１の箱展開形成体１２の平面図。
【図２】実施例１に係る包装用箱１１の半完成状態の平面図。
【図３】実施例１に係る包装用箱１１を組み立てる途中の状態を示す斜視簡略図。
【図４】実施例１に係る包装用箱１１の完成体を示す斜視簡略図。
【図５】実施例１に係る包装用箱１１の収納部９０に備品９１を収納した状態を示す斜視簡略図。
【図６】実施例２に係る包装用箱１１の箱展開形成体１２の平面図。
【図７】実施例２に係る包装用箱１１の完成体を示す斜視簡略図。
【図８】実施例３に係る包装用箱１１の半完成状態の平面図。
【図９】実施例３に係る包装用箱１１の完成体を示す斜視簡略図。
【図１０】実施例４に係る包装用箱１１の完成体を示す斜視簡略図。
【図１１】実施例５に係る包装用箱１１の完成体を示す斜視簡略図。
【符号の説明】
【００４７】
１１    包装用箱
１２    箱展開形成体
２１    底面
２２    前蓋部
２３    後蓋部
２４    前差込片
２５    後差込片
３１    収納面
３２    前取付面
３３    後取付面
４１    第１側壁面
４２    第１前フラップ
４３    第１後フラップ
５１    天面
５２    天面前フラップ
５３    天面後フラップ
５４    把持部
５５    シート状材
５６    保冷体収容部
６１    第２側壁面
６２    第２前フラップ
６３    第２後フラップ
７１    第１側壁面折目線
７２    前蓋部折目線
７３    後蓋部折目線
７４    収納面折目線
７５    前取付面折目線
７６    後取付面折目線
７７    天面折目線
７８    第１前フラップ折目線
７９    第１後フラップ折目線
８０    第２側壁面折目線
８１    天面前フラップ折目線
８２    天面後フラップ折目線
８３    前切込部
８４    後切込部
８５    第２前フラップ折目線
８６    第２後フラップ折目線
９０    収納部
９１    備品
【図１】
0003138541.tif 000003
【図２】
0003138541.tif 000004
【図３】
0003138541.tif 000005
【図４】
0003138541.tif 000006
【図５】
0003138541.tif 000007
【図６】
0003138541.tif 000008
【図７】
0003138541.tif 000009
【図８】
0003138541.tif 000010
【図９】
0003138541.tif 000011
【図１０】
0003138541.tif 000012
【図１１】
0003138541.tif 000013